(57)【特許請求の範囲】
【請求項１】
血液浄化器と、血液回路と、前記血液浄化器より上流側の血液回路に設けられた血液ポンプと、前記血液浄化器より下流側の血液回路に設けられた静脈チャンバと、透析液供給回路と排液回路を含んでなる血液浄化装置において、前記血液ポンプより上流側の血液回路に補液ラインを設けるとともに、該補液ラインおよび、該補液ラインとの接続部分より上流側の血液回路にそれぞれ開閉手段を設け、該血液回路の開閉手段より上流側の血液回路に圧力測定手段を設けてなり、補液ラインが、透析液供給回路と、血液ポンプより上流側の血液回路とを接続するものである血液浄化装置。
【発明の詳細な説明】
【技術分野】
【０００１】
本発明は、血液低下を防ぐ間歇補液法及び血液浄化装置に関する。
【背景技術】
【０００２】
交感神経失調の患者では、除水を伴う透析治療において、血液量の減少と平行して血圧が低下していくが、このような低血圧は緩徐な血圧低下であり問題にならない。しかしながら、このような緩徐な血液低下はやがて急速な血圧低下へと進展することが知られており、その結果、患者に苦痛を与えることがあり、場合によっては、患者が重篤に陥る虞があり問題であった。
一方、透析濾過治療中に血圧が低下した際に、１５０ｍｌ程度の補液を行うと、血圧が回復することが知られている。このことは、他の分野（ＩＣＵなど）では信じられない現象であるが、透析濾過治療中にのみ発生する現象である。
【０００３】
毛細血管の動脈と静脈の境目には細静脈と呼ばれる部位がある。この細静脈には細静脈を締める輪と、血液を溜める血管壁の柔らかい部分がある。また、細静脈の細胞の酸素不足により分泌される物質として、分泌後１０〜１５秒程度で消滅してしまうアデノシンや一酸化窒素（ＮＯ）が知られている。アデノシンは血管拡張物質、ＮＯは血管壁を柔らかくする物質で、これらの分泌が多くなると、血管拡張により細静脈内の血液は多くなり、血液が細静脈内に溜まるので、末梢血管抵抗の減少により血圧が低下するという負の連鎖により血圧が急激に低下する。通常、血圧が低下すると、脳から命令が出て細静脈の輪を閉めるような働きをするため血圧が上昇すると考えられている。しかしながら、患者によっては、血圧が著しく低下してしまう。このような場合、補液によって血圧が上昇するということは、アデノシンやＮＯが分泌されていたということになる。自律神経の関係で血圧が低下するときは、補液を行っても大して血圧は上昇しないが、アデノシンやＮＯが分泌されたときの血圧低下には補液が有効であるということが推測される。
【先行技術文献】
【非特許文献】
【０００４】
【非特許文献１】日本透析医学会雑誌４２巻９号  ６９５〜７０３頁「逆濾過透析液を利用した自動モードによる間歇補液血液透析の考案とその臨床評価」
【発明の開示】
【発明が解決しようとする課題】
【０００５】
本発明は、如上の事情に鑑みてなされたもので、血液低下を防ぐ間歇補液法及びそれを用いた血液浄化装置を提供する。
【課題を解決するための手段】
【０００６】
本発明の血液低下を防ぐ間歇補液法は、血液浄化治療中に、間歇的に補液を行うとともに、補液の度毎に該補液の前後の血液浄化器より上流側の血液回路（動脈側血液回路）の圧力を測定して、（補液後の圧力−補液前の圧力）／補液前の圧力×１００％（以下、血圧上昇率という）を求め、該血圧上昇率の程度に応じて各輸液後の除水量を決定し除水を行うことを特徴とする。
ここで、血圧の急激な低下の発生を回避するために補液間隔は余り長くない方がよく、また、血流を止めて補液する関係で補液間隔は余り短くない方がよい。また、透析濾過治療中に血圧が低下した際に、１５０ｍｌ程度の補液を行うと、血圧が回復することが知られていることから、１回当たりの補液量は１５０ｍｌ程度が適当と思われる。従って、補液間隔は１０〜２０分が適当であり、血圧を回復させるために補液量は１００〜２００ｍｌが適当であり、１５分おきに４５〜６０秒間１５０ｍｌ程度の補液が好ましい。
各補液後の除水については、血圧上昇率＝（補液後の血圧−補液前の血圧）／補液前の血圧×１００％。という指標を導入している。血圧上昇率が３０％を超えた場合、アデノシン、ＮＯが発生して血圧低下が起こり、この血液低下をカバーするために血圧上昇率が大きくなったと考えられるので、補液を行った後に除水を行う必要がない。この場合、最初に設定していたドライウエイトよりも多い状態で透析治療が終了することになるが、この治療終了後の体重が血圧低下を引き起こさない後体重であり、適切なドライウエイトになると考えられる。
また、血圧上昇率が２０％〜３０％の場合には、若干アデノシンとＮＯが分泌されていたと考えられるので、体重増加分は除水するが補液分は除水せず体液量を増加させることで血圧の安定化を図ることができる。
また血圧上昇率が２０％以下の場合には、アデノシン、ＮＯによる血圧低下ではないと考えられるので、通常通り体重増加分と補液した分を除水することができる。
従って、血圧上昇率＞３０％の場合には、補液を行った後に除水を行わず、２０％＜血液上昇率≦３０％の場合には、体重増加分のみ除水を行い、血液上昇率≦２０％の場合には、体重増加分と補液した分の除水を行うのが好ましい。
また、補液手段としては、オンライン、逆濾過、生食ラインのいずれも採用可能である。  
【０００７】
本発明の血液浄化装置は、血液浄化器と、血液回路と、前記血液浄化器より上流側の血液回路に設けられた血液ポンプと、前記血液浄化器より下流側の血液回路に設けられた静脈チャンバと、透析液供給回路と排液回路を含んでなる血液浄化装置において、前記血液ポンプより上流側の血液回路に補液ラインを設けるとともに、該補液ラインおよび、該補液ラインとの接続部分より上流側の血液回路にそれぞれ開閉手段を設け、該血液回路の開閉手段より上流側の血液回路に圧力測定手段を設けてなることを特徴とする。
ここで、補液ラインは、透析液供給回路と、血液ポンプより上流側の血液回路とを接続するもの（オンラインという）であっても、生食ラインであってもよい。また、開閉手段としては、所定の間隔で開閉するように制御された自動開閉弁を採用してもよく、また、血栓の発生を避けるために、手動で操作できるコッフェルやクレンメを採用してもよい。
また、本発明の血液浄化装置は、血液浄化器と、血液回路と、前記血液浄化器より上流側の血液回路に設けられた血液ポンプと、前記血液浄化器より下流側の血液回路に設けられた静脈チャンバと、透析液供給回路と排液回路を含んでなる血液浄化装置において、
透析液供給回路または排液回路に逆濾過手段を設けるとともに、前記血液ポンプより上流側の血液回路に開閉手段を設け、該開閉手段より上流側の血液回路に圧力測定手段を設けてなることを特徴とする。
ここで、開閉手段としては、所定の間隔で開閉するように制御された自動開閉弁を採用してもよく、また、血栓の発生を避けるために、手動で操作できるコッフェルやクレンメを採用してもよい。
【０００８】
以上、一般的に本発明を記述したが、より一層の理解は、いくつかの特定の実施例を参照することによって得ることが出来る。これらの実施例は本明細書に例示の目的のためにのみ提供されるものであり、他の旨が特定されない限り、限定的なものではない。
【発明の効果】
【０００９】
本発明によれば、以下のような効果が期待できる。すなわち、血液浄化治療中に急激に血圧が低下することがないように、例えば、１５分おきに４５〜６０秒間１５０ｍｌ程度の補液を行うなど、適当な間隔で適当な量の補液を行うようになっているので、無症状透析が可能である。また、補液を行った後の除水について、血圧上昇率を測定して、例えば、血圧上昇率＞３０％の場合には、除水を行わず、２０％＜血液上昇率≦３０％の場合に体重増加分のみ除水を行い、血液上昇率≦２０％の場合に体重増加分と補液した分の除水を行うというように、血液上昇率によって除水量を規制するようになっているので、血圧の安定化を図ることが出来る。
【図面の簡単な説明】
【００１０】
【図１】実施例１の概略説明図である。
【図２】実施例２の概略説明図である。
【図３】実施例３の概略説明図である。
【図４】実験例１の説明図である。
【図５】実験例２の説明図である。
【図６】実験例２の説明図である。
【図７】実験例２の説明図である。
【発明を実施するための最良の形態】
【００１１】
１５分おきに４５〜６０秒間１５０ｍｌ程度の補液を行う。補液を行った後の除水については、血圧上昇率＞３０％の場合には、除水を行わず、２０％＜血液上昇率≦３０％の場合に体重増加分のみ除水を行い、血液上昇率≦２０％の場合に体重増加分と補液した分の除水を行う。
【実施例１】
【００１２】
先ず、実施例１について、図１を用いて説明する。
図１は実施例１の概略説明図であり、輸液ラインがオンラインの場合の血液浄化装置を示す。
実施例１の 血液浄化装置は、血液浄化器１と、血液回路２と、前記血液浄化器１より上流側の血液回路２１に設けられた血液ポンプ３と、前記血液浄化器１より下流側の血液回路２２に設けられた静脈チャンバ２３と、透析液供給回路４１と排液回路４２を含んでいる。そして、透析液供給回路４１と、血液ポンプ３より上流側の血液回路２１とを接続する補液ライン５（このようなラインをオンラインという）が設けられており、この補液ライン５および、補液ライン５との接続部分５１より上流側の血液回路２１にそれぞれ自動開閉弁Ｖ２、Ｖ１が設けられ、自動開閉弁Ｖ１より上流側の血液回路２１に圧力測定手段２４が設けられている。
【００１３】
血液浄化中は、自動開閉弁Ｖ１は開き、自動開閉弁Ｖ２は閉じている。この状態では、血液は、血液ポンプ３により患者の体内から血液回路２１を通って血液浄化器１に供給され、ここで浄化されて血液回路２２を通って患者の体内に戻される。一方、透析液は、透析液供給ポンプ（図示していない）により透析液供給回路４１を通って血液浄化器１に供給され、ここで血液中の不要あるいは有害な物質を受け取って排液回路４２を通って排出される。
【００１４】
間歇補液に際しては、先ず、自動開閉弁Ｖ２が開き、次いで自動開閉弁Ｖ１が閉じて、透析液供給回路４１を通って血液浄化器１に供給される透析液の一部（これが補液になる）は、血液ポンプ３により補液ライン５を通って血液回路２１に流入し血液浄化器１に供給される。そして補液量が所定量に達すると自動開閉弁Ｖ１が開き、次いで自動開閉弁Ｖ２が閉じて血液浄化が再開される。
【００１５】
補液後の除水については、血液浄化治療中に急激に血圧が低下することがないように、例えば、圧力計などの圧力測定手段２４で測定された血液回路２１の補液前の圧力と補液後の圧力から血圧上昇率を算出して、例えば、血圧上昇率＞３０％の場合には、除水を行わず、２０％＜血液上昇率≦３０％の場合に体重増加分のみ除水を行い、血液上昇率≦２０％の場合に体重増加分と補液した分の除水を行うというように、血液上昇率によって除水量を規制する。
【実施例２】
【００１６】
図２は実施例２の概略説明図であり、輸液ラインが生食ラインの場合の血液浄化装置を示す。
実施例２の血液浄化装置は、血液浄化器１と、血液回路２と、前記血液浄化器１より上流側の血液回路２１に設けられた血液ポンプ３と、前記血液浄化器１より下流側の血液回路２２に設けられた静脈チャンバ２３と、透析液供給回路４１と排液回路４２を含んでおり、血液ポンプ３より上流側の血液回路２１に生食ライン６が設けられ、この生食ライン６および、生食ライン６との接続部分６２より上流側の血液回路２１にそれぞれコッフェルＫ２、Ｋ１が設けられ、コッフェルＫ１より上流側の血液回路２１に圧力測定手段２が設けられている。尚、図中６１は生食容器であり、透析液側は省略されている。
【００１７】
血液浄化中は、コッフェルＫ１は開けられ、コッフェルＫ２は閉じている。この状態での血液の流れ及び透析液の流れが実施例１と同様である。
間歇補液に際しては、先ず、コッフェルＫ２を開き、次いでコッフェルＫ１を閉じる。この状態では、生食（これが補液になる）は、血液ポンプ３により生食ライン６を通って血液回路２１に流入し血液浄化器１に供給される。そして補液量が所定量に達したら、コッフェルＫ１を開き、次いでコッフェルＫ２を閉じると血液浄化が再開される。
補液後の除水については実施例1と同様である。
【実施例３】
【００１８】
図３は実施例３の概略説明図であり、輸液ラインが逆濾過手段の場合の血液浄化装置を示す。
実施例３の血液浄化装置は、血液浄化器１と、血液回路２と、血液浄化器１より上流側の血液回路２１に設けられた血液ポンプ３と、血液浄化器１より下流側の血液回路２２に設けられた静脈チャンバ２３と、透析液供給回路４１と排液回路４２を含んでおり、透析液供給回路４１に逆濾過手段が設けられるとともに、血液ポンプ３より上流側の血液回路２１に自動開閉弁Ｖ１が設けられ、この自動開閉弁Ｖ１より上流側の血液回路２１に圧力測定手段２４が設けられている。透析液供給回路４１と排液回路４２には、血液浄化器１と透析液供給回路４１、排液回路４２との間に密閉回路を構成するイコライザー４３が設けられており、イコライザー４３としては、例えば、透析液供給装置（図示されていない）から透析液供給回路４１２を通って供給された新鮮な透析液を貯留し透析液供給回路４１１を通して血液浄化器１に供給する室と、血液浄化器1から排液回路４２１を通って流入する使用済透析液を貯留する室との２室を有するものや、更に除水のための室を有するものが使用されている。貯留された使用済透析液は、イコライザー４３から血液浄化器１に供給される新鮮透析液が無くなったときに、新たに新鮮な透析液が新鮮透析液室に供給されることにより、排液回路４２２を通って排液される。イコライザー４３の室は柔軟な膜で仕切られており、新鮮透析液の室が満杯の時に使用済透析液の室が空になるように構成されている。逆濾過手段は、このイコライザー４３を跨ぐように透析液供給回路４１に設けられており、透析液供給回路４１１と４１２を接続する逆濾過回路４４と、イコライザー４３と血液浄化器1の間が密閉状態の時に、透析液供給回路４１２の透析液を透析液供給回路４１１に送液する逆濾過ポンプ４５からなる。
【００１９】
血液浄化中は、自動開閉弁Ｖ１は開き、逆濾過ポンプは駆動停止している。この状態での血液の流れ及び透析液の流れは、透析液の供給と排液にイコライザー４３が介在する他は、実施例１と同様である。また、補液後の除水についても実施例1と同様である。
間歇補液に際しては、先ず、逆濾過ポンプ４５が駆動し、次いで開閉弁Ｖ１が閉じて、逆濾過ポンプ４５によって透析液供給回路４１２から血液浄化器１に供給された透析液（これが補液になる）は、血液浄化器１の膜を通って血液側に流入し、血液回路２２を通って患者の体内に注入される。そして補液量が所定量に達すると開閉弁Ｖ１が開き、次いで逆濾過ポンプ４５が駆動停止して血液浄化が再開される。
＜実験例１＞
【００２０】
透析患者について、実施例２に示す血液浄化装置を用いて  透析濾過治療中に１５０ｍｌの補液に対する血圧の反応を見たところ、図４のような結果が得られた。
このことから、透析濾過治療中に血圧が低下した際に、１５０ｍｌ程度の補液を行うと、血圧が回復することがわかる。
＜実験例２＞
【００２１】
透析中に血液低下を生じる３人の患者について、実施例２に示す血液浄化装置を用いて、透析濾過治療中に１５分毎に１５０ｍｌの補液を行い、補液を行った後の除水については、血圧上昇率＞３０％の場合には、除水を行わず、２０％＜血液上昇率≦３０％の場合に体重増加分のみ除水を行い、血液上昇率≦２０％の場合に体重増加分と補液した分の除水を行う様にして、血圧の反応を見たところ図５〜図７のような結果が得られた。
図５〜図７から、急激な血圧の低下が、アデノシンやＮＯの分泌に起因するものであることが予測され、従って、補液後の除水は、血圧上昇率によって調整するのが有効であることがわかった。
【符号の説明】
【００２２】
１  血液透析器
２  血液回路
２１  血液透析器より上流側の血液回路
２２  血液透析器より下流側の血液回路
２３  静脈チャンバ
２４  圧力測定手段
３  血液ポンプ
４１  透析液供給回路
４１１  イコライザーより下流の透析液供給回路
４１２  イコライザーより上流の透析液供給回路
４２  排液回路
４２１  イコライザーより下流の排液回路
４２２  イコライザーより上流の排液回路
５  補液ライン（オンライン）
５１  血液ポンプより上流側の血液回路と補液ラインとの接続部分
６  生食ライン
６１  生食容器
６２  血液ポンプより上流側の血液回路と生食ラインとの接続部分
Ｖ１、Ｖ２  自動開閉弁
Ｋ１、Ｋ２  コッフェル
【図１】
0005565089.tif 000002
【図２】
0005565089.tif 000003
【図３】
0005565089.tif 000004
【図４】
0005565089.tif 000005
【図５】
0005565089.tif 000006
【図６】
0005565089.tif 000007
【図７】
0005565089.tif 000008